(57)【要約】  本発明は、光学形状検知トラッキングデバイスのようなトラッキングデバイス（4）を用いた放射線Cアームデバイスのようなイメージングデバイス（2）によって、光学形状をイメージングシステムに登録するための登録システム（13）に関する。１つ以上の光学カメラ（27）は、形状座標系をイメージングシステムの座標系に登録するために使用される。カメラシステムでの検出された位置情報がイメージングシステムに直接変換できるように、光学カメラは、イメージングシステムと予め較正される。
2016539713.tif 000002
【特許請求の範囲】
【請求項１】
物体の画像を生成するイメージングデバイスを、前記イメージングデバイスの視野内で前記物体の位置をトラッキングするトラッキングデバイスに登録する登録システムであって、
前記物体の少なくとも１つの画像を生成する少なくとも１つの光学カメラデバイスと、
前記少なくとも１つの画像において前記物体を検出する物体検出ユニットであり、前記物体検出ユニットは、前記少なくとも１つの画像における前記物体の位置データを取得するために、前記物体の前記少なくとも１つの画像を分析するように適合された物体検出ユニットと、
前記イメージングデバイスへの前記トラッキングデバイスの登録を規定する登録パラメータを決定する登録ユニットであり、前記登録ユニットは、前記物体の前記取得された位置データと、前記少なくとも１つの光学カメラデバイスと前記イメージングデバイスとの間の幾何学変換とに基づいて、前記登録パラメータを決定するように適合された登録ユニットと
を有する登録システム。
【請求項２】
前記物体検出ユニットは、前記物体に提供されたマーカに基づいて前記物体の前記位置データを提供するように適合される、請求項１に記載の登録システム。
【請求項３】
前記物体は、医療行為で使用されるように適合され、前記登録システムは、前記物体が患者の身体の外部にある場合且つ前記患者の前記身体への前記物体の挿入前に前記登録を実行するように適合される、請求項１に記載の登録システム。
【請求項４】
前記登録システムは、前記物体と他の物体との間の既知の空間関係を使用することにより、前記物体の前記取得された登録パラメータを他の物体に波及するように適合される、請求項１に記載の登録システム。
【請求項５】
前記物体検出ユニットは、前記位置データを取得するために前記物体の予め規定された形状を使用するように適合される、請求項１に記載の登録システム。
【請求項６】
前記登録ユニットは、前記イメージングデバイスの画像と、放射される患者に提供されたトラッキングマーカとのうち少なくとも１つに基づいて、登録を更新又は改善するように適合される、請求項１に記載の登録システム。
【請求項７】
物体を撮像するイメージングシステムであって、
関心のある画像を生成するイメージングデバイスと、
前記関心のある領域の前記物体の位置をトラッキングするトラッキングデバイスと、
登録パラメータを決定する請求項１に記載の登録システムと、
前記物体の前記トラッキングされた位置と、前記決定された登録パラメータとに基づいて、前記関心のある領域の前記画像内の前記物体の前記位置を決定する位置決定ユニットと
を有するイメージングシステム。
【請求項８】
インターベンショナル処置を実行するインターベンショナル機器と、
前記インターベンショナル機器を撮像する請求項７に記載のイメージングシステムと
を有するインターベンショナルシステム。
【請求項９】
前記インターベンショナル機器は、イメージングデバイスの視野内で前記インターベンショナル機器の前記位置をトラッキングするトラッキングデバイスへの前記インターベンショナル機器の画像を生成するイメージングデバイスの登録中に、登録マーカが光学カメラデバイスにより撮影される画像に基づいて検出可能であるように、前記インターベンショナル機器の光特性と異なる光特性を有する複数の登録マーカを有する、請求項８に記載のインターベンショナルシステム。
【請求項１０】
前記登録マーカは、プラスチック材料又はシリコーンで作られる、請求項９に記載のインターベンショナルシステム。
【請求項１１】
物体の画像を生成するイメージングデバイスを、前記イメージングデバイスの視野内で前記物体の位置をトラッキングするトラッキングデバイスに登録する登録方法であって、
少なくとも１つのカメラデバイスを使用することにより、前記物体の少なくとも１つの画像を生成するステップと、
前記少なくとも１つの画像における前記物体の位置データを取得するために、前記物体の前記少なくとも１つの画像を分析するステップと、
前記物体の前記取得された位置データと、前記少なくとも１つの光学カメラデバイスと前記イメージングデバイスとの間の幾何学変換とに基づいて、前記イメージングデバイスへの前記トラッキングデバイスの登録を規定する登録パラメータを決定するステップと
を有する登録方法。
【請求項１２】
イメージングデバイスにより、関心のある領域の画像を生成するステップと、
トラッキングデバイスにより、前記関心のある領域の前記物体の位置をトラッキングするステップと、
請求項１１に記載の登録方法により、登録パラメータを決定するステップと、
前記物体の前記トラッキングされた位置と、前記関心のある領域の前記画像と、前記決定された登録パラメータとに基づいて、前記関心のある領域の前記画像内の前記物体の前記位置を示す位置画像を生成するステップと
を有する登録方法。
【請求項１３】
物体の画像を生成するイメージングデバイスを、前記イメージングデバイスの視野内で前記物体の位置をトラッキングするトラッキングデバイスに登録する登録コンピュータプログラムであって、
前記登録コンピュータプログラムが登録システムを制御するコンピュータで実行された場合、請求項１に記載の登録システムに対して請求項１１に記載の登録方法のステップを実行させるプログラムコード手段を有する登録コンピュータプログラム。
【発明の詳細な説明】
【技術分野】
【０００１】
本発明は、トラッキングシステムをイメージングシステムに登録するための登録システム、登録方法及び登録コンピュータプログラムの分野に関する。本発明は、物体を撮像するためのイメージングシステム及びイメージング方法の分野に更に関する。本発明はまた、イメージングシステムを有するインターベンショナルシステム（interventional  system）の分野に関し、インターベンショナルシステムで使用されるインターベンショナルデバイスに関する。
【背景技術】
【０００２】
WO2007/115825A1は、画像によりガイドされる手術のために、カメラの画像を手術中の画像に登録する増強デバイス（augmentation  device）を開示している。増強デバイスは、カメラと、３次元又は４次元画像を手術中に生成するイメージングデバイスと、カメラ及びイメージングデバイスをトラッキングするトラッキングシステムとを有する。イメージングデバイス及びカメラをトラッキングすることにより、これらは、カメラにより生成された画像と、イメージングデバイスにより生成された画像とが同じ座標系で同時に視覚化され得るように登録されることができる。
【０００３】
WO2013/102827A1は、対象内のインターベンショナル機器の位置を決定する位置決定装置を開示している。インターベンショナル機器は、第１の部分が対象の中に差し込まれる場合、対象の中に差し込まれる第１の部分と、対象の外部の第２の部分とを有する。画像データセット提供ユニットは、対象の内部の画像データセットを提供し、機器位置提供ユニットは、インターベンショナル機器の第２の部分の位置を決定し、実画像提供ユニットは、対象内のインターベンショナル機器の実画像を提供する。空間関係決定ユニットは、実画像と、第２の部分の位置とに基づいて、対象の外部の第２の部分及び対象内の第１の部分の位置の間の空間関係を決定し、位置決定ユニットは、第２の部分の位置及び第１の部分と第２の部分との間の空間関係に応じて、提供された画像データセット内の第１の部分の位置を決定する。
【０００４】
US2011/0098553A1は、画像を登録する方法を開示している。患者の身体の部分及び第１のマーカの画像は、画像座標系を規定するイメージングシステムにより取得される。画像ガイドシステムは、第１のマーカの位置に対して既知の位置に配置された第２のマーカを示す位置画像を取得するために使用される。画像ガイドシステムは、位置座標系を規定し、画像座標系及び位置座標系は、画像における第１及び第２のマーカの位置と、これらのマーカの既知の相対位置とに基づいて自動的に登録される。
【０００５】
US2010/0056904A1は、患者内で挿入場所から処置場所にナビゲーションされるカテーテルのようなインターベンショナル機器を有するインターベンショナルシステムを開示している。ナビゲーション処置の間に、光ファイバ部材を備えたインターベンショナル機器は、光学形状検知（OSS：optical  shape  sensing）を使用することによりトラッキングされる。トラッキングされた位置は、患者の磁気共鳴画像に示される。患者の磁気共鳴画像においてOSSによりトラッキングされたインターベンショナル機器の位置を示すために、インターベンショナル機器をトラッキングするOSSトラッキングシステムと、磁気共鳴画像を生成する磁気共鳴イメージング（MRI：magnetic  resonance  imaging）システムとが、相互に登録される必要がある。従って、OSSデバイス（例えば、OSSに統合されたガイドワイヤ又はカテーテル）は、MRI画像に登録されなければならない。前述の従来技術のシステムでは、MR画像登録は、磁気共鳴画像内でインターベンショナル機器の光ファイバ部材の複数の既知の点をマークすることにより実行される。既知の点は、磁気共鳴画像内に見えるマーカを保持する。
【０００６】
従来の登録システムは、画像登録問題に対する形状の多くを解決するが、異なる種類の登録が必要になり得る異なるシナリオが存在し得る。例えば、特定の場合には自動登録が望ましい場合があり、放射線の更なる低減が好ましい場合があり、或いは、イメージングデバイス（例えば、Cアーム（C-arm）デバイス）が可動式である可能性があり、デバイスが動かされると常に登録が再適用される必要がある場合があり、或いは、形状検知システムが可動式である可能性があり、システムが手術室の他の位置に動かされると登録が複数回更新される必要がある場合がある。更に、X線イメージングシステムが使用される場合、ユーザは、１つの視界のみを使用することを好む可能性があり、他の角度からX線画像を取得しようと思わず、或いは、ユーザは、X線画像が取得される前に登録された形状可能デバイス（shape-enabled  device）を見たいと思うことがある。
【発明の概要】
【０００７】
物体の画像を生成するイメージングデバイスを、物体の位置をトラッキングするトラッキングデバイスに登録し、登録のために放射線が必要ない自動登録システム、登録方法及び登録コンピュータプログラムを提供することが、本発明の目的である。
【０００８】
物体の画像を生成するイメージングデバイスを、物体の位置をトラッキングするトラッキングデバイスに登録し、単一のCアーム位置又は視界が登録のために十分である自動登録システム、登録方法及び登録コンピュータプログラムを提供することが、本発明の他の目的である。
【０００９】
物体の画像を生成するイメージングデバイスを、物体の位置をトラッキングするトラッキングデバイスに登録し、イメージングデバイス及び／又はOSSデバイスの移動が効率的に扱われることができる自動登録システム、登録方法及び登録コンピュータプログラムを提供することが、本発明の更なる目的である。
【００１０】
この目的は、請求項１に記載の登録システム、請求項９に記載のイメージングシステム、請求項１０に記載のインターベンショナルシステム、請求項１１に記載の登録方法、請求項１２に記載のイメージング方法、及び請求項１３に記載の登録コンピュータプログラムにより実現される。
【００１１】
従って、少なくとも１つの光学カメラが、画像への形状の登録のために使用されることが示唆される。物体（例えば、OSSデバイス）の位置は、イメージングデバイスで較正（calibrate）された位置に配置されてもよい少なくとも１つの光学カメラにより生成された物体の少なくとも１つの画像に基づいて検出され得る。光学カメラを使用することにより、物体は、イメージングデバイスの座標系に予め登録されたカメラ座標系で検出され得る。その後、トラッキングシステムから取得された形状データは、イメージングシステムの座標系で既に較正された光学カメラ座標系で検出されたデバイス又は物体に登録され得る。
【００１２】
提案の対策は、イメージングシステム（例えば、X線システム）への物体の放射線のない登録を可能にし、トラッキングシステム又はイメージングシステムが移動したときの登録パラメータの容易な更新を可能にする。これは、可動式CアームシステムへのOSSの適用を可能にする。更に、登録は、トラッキングシステムが可動式であり、外科手術中に動かされた場合に、迅速に更新される。
【００１３】
更に、単一のCアーム位置は、トラッキングシステムをイメージングシステムに登録するのに十分である。X線に基づく登録では、３次元（3D）における正確な登録パラメータを計算するために、複数の視界が必要なってもよい。この場合、複数の光学カメラがCアームの１つの設定で3D情報を取得することができるため、イメージングシステムのCアームを他の位置に動かす必要はない。
【００１４】
第１の選択肢によれば、物体検出ユニットは、物体に提供されたマーカに基づいて物体の位置データを提供するように適合されてもよい。このようなマーカは、物体の再構成の更なる精度の利点を提供する。更に提案の物体のマーカは、放射線不透過性である必要はない。異なる光特性で十分である。従って、これらは、例えば、プラスチック、シリコーン等のデバイスの周囲に配置されることができ、このことはコストを節約する。
【００１５】
前述の第１の選択肢と結合可能な第２の選択肢によれば、トラッキングシステムにより生成された光学形状データがイメージングデバイスの座標系に直接変換され得るように、少なくとも１つの光学カメラデバイスの座標系は、イメージングデバイスの座標系と予め較正されてもよい。
【００１６】
前述の第１又は第２の選択肢と結合可能な第３の選択肢によれば、少なくとも１つの光学カメラデバイスは、イメージングデバイスのCアームで較正された位置に配置されてもよい。より具体的な例では、少なくとも１つのカメラは、イメージングデバイスの検出枠（detector  rim）の側に組み込まれてもよい。これにより、光学カメラデバイスとCアームとの間の所定の位置関係が実現可能になり、このことは登録を容易にする。
【００１７】
第１〜第３の選択肢のいずれかと結合可能な第４の選択肢によれば、物体は、医療行為で使用されるように適合され、登録システムは、物体が患者の身体の外部にある場合且つ患者の身体への物体の挿入前に登録を実行するように適合されてもよい。これにより、登録は、単に物体を少なくとも１つのカメラデバイスの視野に配置することにより、簡略化され得る。
【００１８】
第１〜第４の選択肢のいずれかと結合可能な第５の選択肢によれば、登録システムは、物体の取得された登録パラメータを他の物体に波及するように適合されてもよい。これにより、挿入される物体は、少なくとも１つの光学カメラデバイスの視野に配置することなく登録され得る。
【００１９】
第１〜第５の選択肢のいずれかと結合可能な第６の選択肢によれば、物体検出ユニットは、トラッキングシステムの光ファイバを内部に有するインターベンショナルデバイスの位置を取得するために、検出及び再構成のために物体の予め規定された形状を使用するように適合されてもよい。これは、物体のより正確な検出及び再構成を可能にする。
【００２０】
第１〜第６の選択肢のいずれかと結合可能な第７の選択肢によれば、登録ユニットは、イメージングデバイスの画像と、放射される患者に提供されたトラッキングマーカとのうち少なくとも１つに基づいて、登録を更新又は改善するように適合されてもよい。これにより、登録は、イメージングデバイスの動作中に絶えず更新又は改善され得る。
【００２１】
請求項１に記載の登録システム、インターベンショナルデバイス、請求項９に記載のイメージングシステム、請求項１０に記載のインターベンショナルシステム、請求項１１に記載の登録システム、請求項１２に記載のイメージング方法、及び請求項１３に記載の登録コンピュータプログラムは、特に従属請求項に記載のように、同様及び／又は同一の好ましい実施例を有することが分かる。
【００２２】
本発明の好ましい実施例はまた、各独立請求項と従属請求項又は前述の実施例との組み合わせでもよいことが分かる。
【００２３】
本発明の前記及び他の態様は、以下に説明する実施例から明らかになり、実施例を参照して説明する。
【図面の簡単な説明】
【００２４】
【図１】第１の実施例によるインターベンショナルシステムの実施例を概略的且つ例示的に示す図
【図２】ガイドワイヤを撮像するイメージング方法の第２の実施例を例示的に示すフローチャートを示す図
【発明を実施するための形態】
【００２５】
本発明の様々な実施例について、固定又は可動式Cアームを有するX線イメージングシステムと、OSS可能な形状検知インターベンショナルデバイス又は機器（例えば、カテーテル、ガイドワイヤ、ステント移植皮弁等）とを備えたインターベンショナルシステムに基づいて説明する。
【００２６】
図１は、インターベンショナル処置を実行するインターベンショナル機器を有するインターベンショナルシステム1の第１の実施例を概略的且つ例示的に示している。この実施例では、インターベンショナル機器は、カテーテル33であり、カテーテル33は、カテーテル制御ユニット15により制御される。カテーテル制御ユニット15及びカテーテル33は、例えば、患者台26のような支持手段に横になる患者25の心臓24内でアブレーション（ablation）処置を実行するように適合されてもよい。しかし、カテーテル33及びカテーテル制御ユニット15はまた、他のインターベンショナル処置を実行するように適合されてもよい。更に、インターベンショナルシステム1はまた、ニードルのような他のインターベンショナル機器を有してもよい。この実施例では、カテーテル33は、無線周波数（RF：radio  frequency）アブレーション処置を適用するように適合され、カテーテル制御ユニット15は、RFエネルギーをカテーテル33の先端部23に配置されたアブレーション電極に提供するように適合される。より具体的には、カテーテル33の先端部23は、心筋の内部表面に対して、異常なリズムの起源の場所にできるだけ近く配置され、カテーテル制御ユニット15は、異常な心拍の原因である細胞を焼灼（焼く）して静めるために、カテーテル33の先端部23を通じてその領域にRF電流を通すように適合される。
【００２７】
カテーテル33を心臓24に挿入するために、ガイドワイヤが使用される。ガイドワイヤは、更なるインターベンショナル機器であり、OSSにより患者25内でガイドワイヤの位置を決定する（すなわち、患者25内でガイドワイヤの位置及び形状を決定する）トラッキング制御ユニット4に接続されたOSSファイバを備える。患者25内でガイドワイヤの位置を決定するために、参照により援用されるUS7,772,541B2に開示された技術のような既知のOSS技術が使用されてもよい。OSSファイバを備えたガイドワイヤ及びトラッキング制御ユニット4（特に、OSSファイバ及びトラッキング制御ユニット4）は、患者25内でガイドワイヤの位置をトラッキングするトラッキングデバイス又はOSSシステムと考えられてもよい。
【００２８】
インターベンショナルシステム1は、この実施例ではX線Cアームシステムであるイメージングデバイス2を更に有する。イメージングデバイス2は、患者25を横断するX線19を生成するX線源18と、患者25を横断した後のX線を検出するX線検出器21とを有する。X線源18及びX線検出器21は、Cアーム20に取り付けられ、Cアーム20は、異なる投影方向におけるX線投影画像を取得するために、患者25の周囲で回転可能である。
【００２９】
更に、１つ以上の光学カメラ27は、インターベンショナル機器の形状座標系を、X線イメージングシステムの形状座標系に登録するために使用される。カメラシステムにおける検出された情報がX線イメージングシステムに直接変換され得るように、光学カメラは、X線イメージングシステムと予め較正される。従って、少なくとも１つの光学カメラ27は、Cアーム20と較正される。少なくとも１つのカメラ27は、検出枠のそれぞれの側に配置され、身体において使用される前にインターベンショナル機器（例えば、ガイドワイヤ）を登録するため、或いは、イメージングシステム又はOSSシステムの一方又は双方の位置が変更されるときに登録を更新するため（すなわち、再登録）に使用されてもよい。従って、OSSシステムは、可動式でもよく、固定されてもよい。
【００３０】
図１のOSSシステムのトラッキング制御ユニット4は、光学形状データを提供し、少なくとも１つの光学カメラ27を備えたカメラシステムは、その視野内のOSSデバイス（例えば、ガイドワイヤ）の少なくとも１つの画像を提供するように適合される。この少なくとも１つの画像に基づいて、物体検出ユニット5は、２次元投影画像におけるOSSデバイスの位置を検出し、場合によって、カメラ座標系又は他の基準系において3Dデバイス位置を生成するために複数の視界の検出結果を結合する。２つのデータセット（すなわち、トラッキング制御ユニット4の光学形状データ及び少なくとも１つのカメラ27の画像から導出された3Dデバイス位置）は、登録ユニット6への入力として供給される。
【００３１】
従って、少なくとも１つの光学カメラ27は、OSSデバイスが見える少なくとも１つの画像を提供する。物体検出ユニット5は、少なくとも１つの画像におけるOSSデバイスの座標を見つけるために、少なくとも１つの画像を分析する物体検出アルゴリズムを使用してもよい。複数のカメラ27が使用される場合、物体検出処理は、カメラ画像毎に提供されてもよい。複数のカメラの場合、光学カメラ27は、事前に相互に較正されている。各カメラの視界における検出結果から、物体検出ユニット5は、光学カメラ27において見えるOSSデバイスのその部分の3D位置を計算してもよい。この3D位置データは、トラッキング制御ユニット4から取得された形状データに登録するために使用されてもよい。更に、各光学カメラ27とイメージングシステム2との間の幾何学変換が既知であるため、取得された座標は変換されてもよく、登録からの最終の変換値がイメージングシステム2に関係してもよい。
【００３２】
別の実施例では、双方のOSSデバイス（すなわち、カテーテル33及びガイドワイヤ）の光学形状データを有することも可能でもよい。
【００３３】
OSS可能なインターベンショナル機器（例えば、ガイドワイヤ）は、少なくとも１つのカメラ27で検出可能なマーカ28を有してもよい。これらのマーカ28及び複数のカメラの視界に基づいて、インターベンショナル機器（例えば、ガイドワイヤ）の3D位置が再構成されてもよい。
【００３４】
図１において、マーカ28はカテーテル33に示されている点に留意すべきである。この場合、カテーテル33は、内部にOSSファイバを備えたOSS可能なインターベンショナル機器である。しかし、記載の実施例では、OSS可能なインターベンショナル機器は、図１に示されていないガイドワイヤに対応する。前述のように、双方のインターベンショナル機器（すなわち、カテーテル33及びガイドワイヤ）ですら、OSS可能な機器でもよい。
【００３５】
イメージングデバイス2は、イメージングデバイス制御ユニット22により制御される。イメージングデバイス制御ユニット22は、X線検出器21から検出値を受信し、受信した検出値に基づいて２次元投影画像を生成する。少なくとも１つの光学カメラ27の画像に基づいた初期登録が改善され得るように、２次元投影画像は、２次元投影画像においてガイドワイヤを検出するために物体検出ユニット5に提供される。
【００３６】
更に、インターベンショナルシステム1は、ユーザがキーボード、コンピュータマウス、タッチスクリーン等のような入力ユニット16とディスプレイ17とを使用することによりシステムと相互作用することを可能にするユーザインタフェースを有する。
【００３７】
少なくとも１つの光学カメラ27は、見通し線の視界を必要とするため、登録されるデバイス（すなわち、ガイドワイヤ）は、カメラ27により見えなければならない。これは、登録されるデバイスが身体の内部にある場合、登録は、患者25の身体の外部にある他のデバイスを介してのみ行われることができることを意味する。従って、身体の外部に１つのOSSデバイスを保持することが検討されてもよい。以下の説明では、OSSデバイスがX線イメージングシステムに登録されると、身体にあっても外部であっても、OSSデバイスの間の空間関係の知識を使用することにより、特にOSSシステムにおける固定具（fixture）の相対位置の知識を使用することにより、その登録が他のOSSデバイスに波及され得ることが想定される。従って、OSSシステムは、複数のOSSデバイスを有してもよく、OSSデバイスの間の空間関係は既知である。少なくとも１つのOSSデバイスは、身体の外部にあり、光学カメラデバイスを使用することにより、OSSデバイスをイメージングデバイスに登録するために使用されてもよい。OSSデバイスの間の空間関係は既知であるため、外部のOSSデバイスとイメージングシステムとの間の登録は、身体内の１つ又は複数の他のOSSデバイスに波及されてもよい。OSSデバイスの間の空間関係は、較正測定から知られてもよい。特に、OSSシステムは、複数のスロットを備えた取り付け要素を有してもよく、これらは、OSSデバイスが取り付けられ得る固定具として考えられてもよい。相互に対するスロットの位置は、較正測定から知られてもよい。更に、OSSデバイスのファイバ軸は、スロットの位置において同じように位置合わせされていない可能性があるため、OSSデバイスの回転位置、特にファイバ軸の回転位置も較正測定により決定されてもよい。この情報は、OSSデバイスの間の空間関係を規定してもよく、１つのOSSデバイスから他のOSSデバイスへのイメージングシステムへの登録を波及するために使用されてもよい。
【００３８】
インターベンショナルシステム1は、イメージングデバイス2へのOSSデバイスの登録を規定する登録パラメータを決定する登録ユニット6を更に有する。登録ユニット6は、トラッキングシステム（すなわち、OSSシステム）により規定された形状座標系と、イメージングデバイス2の座標系との間の空間変換を計算することにより、登録パラメータを決定するように適合される。
【００３９】
登録が完了した後に、ガイドワイヤは、患者25内で動かされてもよく、移動中に、トラッキング制御ユニット4は、患者25内のガイドワイヤの位置をトラッキングしてもよく、ガイドワイヤのトラッキングされた位置は、必ずしもこれらの投影画像を再び取得する必要なく、２次元投影画像に示されてもよい。従って、患者25の内部組織に対する患者25内のガイドワイヤの位置を決定するために２次元投影画像を絶えず取得する必要はない。
【００４０】
物体検出ユニット5及び登録ユニット6は、イメージングデバイス2を、トラッキングシステムから取得されたOSSデバイスの3D光学形状検知データに登録するための登録システム13を形成するものと考えられてもよい。
【００４１】
以下では、第２の実施例によるインターベンショナル処置を監視するイメージング方法について、図２に示すフローチャートを参照して例示的に説明する。
【００４２】
ステップ201において、OSSデバイス（すなわち、実施例ではガイドワイヤ）は、少なくとも１つの光学カメラ27の視野に配置され、光学カメラ27は、OSSデバイスの少なくとも１つの画像を生成する。ステップ202において、物体検出ユニット5は、画像においてOSSデバイスを検出し、ガイドワイヤの（3D）再構成のための（3D）位置データを生成し、光学カメラ27により生成された画像と、トラッキング制御ユニット4から取得された形状データとに基づいてガイドワイヤの表現を提供する。ステップ203において、登録ユニット6は、OSSデバイスの3D光学形状検知データへのイメージングデバイス2の登録を規定する登録パラメータを決定する。ステップ201〜203は、登録方法を形成するものとして考えられてもよく、登録方法は、ガイドワイヤが患者25に挿入される前に、インターベンショナルシステムが較正される較正手順の間に実行されてもよい。
【００４３】
登録パラメータが決定された後、ステップ204において、イメージングデバイス2が患者25内の関心のある領域の２次元投影画像を生成し得るように、患者25は、イメージングデバイス2の視野内の支持手段26に配置されてもよい。関心のある領域は、好ましくはガイドワイヤが動かされるべき患者25内の領域である。次に、ステップ205において、ガイドワイヤは、患者25内に差し込まれてもよく、ガイドワイヤの差し込み中及び患者25内でのガイドワイヤの移動中に、ガイドワイヤの位置は、トラッキング制御ユニット4によりトラッキングされる。ステップ206において、ステップ204で取得された２次元投影画像内のガイドワイヤの位置は、ガイドワイヤのトラッキングされた位置と、位置決定ユニット14による決定された登録パラメータとに基づいて決定され、ディスプレイ17は、２次元投影画像内のガイドワイヤの決定された位置を示す。ステップ207において、２次元投影画像内のガイドワイヤの位置の撮像が停止されるべきであるか否かが検査される。例えば、ユーザが入力ユニット16を介して２次元投影画像内のガイドワイヤの位置の撮像が停止されるべきであることをインターベンショナルシステムに入力したか否かが検査される。そうである場合、この方法はステップ208で終了する。そうでない場合、この方法はステップ205に続く。特に、ステップ205及び206は、２次元投影画像内のガイドワイヤの位置の撮像が停止すべきまで、ループ状に絶えず実行される。患者25内のガイドワイヤの移動中に、ループ状にステップ205及び206を実行することにより、ユーザは、必ずしもリアルタイムのX線画像を取得する必要なく、リアルタイムで患者25内のガイドワイヤの移動を監視することができる。更なる実施例では、ステップ207において、イメージングデバイスの視野が変更されたか否かが更に検査されてもよい。この場合、方法はステップ204に続いてもよい。
【００４４】
例えば、イメージングシステムの動き及び／又はOSSシステムの動きのため、再登録が必要であるべき場合、また登録処理を繰り返すために、手順はステップ201にループバックしてもよい。これは、ステップ207からステップ205への後方への分岐に他の判定ステップ（例えば、“再登録が必要であるか？”）を追加することにより実現されてもよい。再登録が必要ない場合、手順はステップ205に続く。そうでなく再登録が必要である場合、手順はステップ201に続く。
【００４５】
OSSデバイス（例えば、ガイドワイヤ）の登録に基づいて光学カメラを完了させる様々な方法が存在する。第１の選択肢として、ユーザ（例えば、医療スタッフのメンバ）は、光学カメラ27のもとでOSSデバイスを保持し、OSSデバイスは、物体検出ユニット5により検出される。検出結果は、図１のユーザインタフェースのディスプレイ17に表示されてもよく、検出が満足できる場合、登録は、トラッキングシステム及びイメージングシステムの座標系の間の変換を計算することにより実行される。
【００４６】
可動式OSSシステム又は可動式Cアームが動かされる場合、同様の手順が実行されてもよい。身体の外部にあるOSS可能なデバイスは、少なくとも１つの光学カメラ27により取得され、イメージングシステムに登録される。
【００４７】
他の選択肢として、少なくとも１つの光学カメラ27のもとでOSSデバイスを保持する代わりに、OSSデバイスは、患者台26又は患者25に置かれてもよく、登録はそこから行われてもよい。
【００４８】
より正確な3D再構成のためにOSSデバイスが光学カメラに見えるマーカ28を有する場合、これらのマーカ28は、デバイス製造中にデバイスの周囲に配置されてもよく、例えば、プラスチック又はシリコーンから作られてもよい。これらは、放射線不透過性を有する必要はない。これは、全く処理特性を変更せず、更なるコストを追加しないため、利点である。マーカは、光学カメラ27により取得されるカメラ画像において検出を可能にするアルゴリズムにより使用可能な、予め規定された距離を有する単なる色付きのバーでもよい。
【００４９】
更なる選択肢として、OSSデバイスは、予め規定された形状に配置されてもよく、物体検出ユニット5は、OSSデバイスを検出してこれを3Dにより正確に再構成するために、この予め規定された形状を使用する。
【００５０】
可動式Cアームが固定のOSSシステムで使用される場合、光学形状及びX線システムは、手術室のいずれかの場所に登録されてもよく、可動式Cアームの位置は、自動的に見つけられてもよい。この位置情報は、可動式Cアームシステムが部屋の他の位置にあったときにインターベンションの開始時に行われていてもよいX線／CT（コンピュータ断層撮影）の登録のような他のパラメータを更新するために使用されてもよい。この選択肢は、可動式Cアーム環境においてOSSを使用する可能性を開く。
【００５１】
光学カメラ27の視界に複数のOSSデバイスが存在すらしてもよい。このような場合、異なる視界におけるマーカの対応関係は、物体を区別するために使用されてもよく、或いは、各OSSデバイスが異なる種類のマーカを有する場合、この情報は、OSSデバイスを分離するために使用されてもよい。
【００５２】
提案される登録システムは、２次元X線画像への３次元OSSの登録のための完全に自動的な対策を提供する。
【００５３】
マーカ28が使用される場合、マーカに基づく再構成は、曲線当てはめ手順により決定されてもよい。デバイスの高次近似が使用されてもよい。結果の曲線が、好ましくはピクセルである、曲線の画素に隣接する画素からの最高の強度差を実現するように、曲線は、追加されたマーカに当てはめられてもよい。また、他の尺度も曲線を当てはめるために使用されてもよい。曲線は、それぞれの尺度が最適化（すなわち、最小化又は最大化）されるように決定される。例えば、各曲線の全ての画素の原因となる血管（vesselness）の和と、全ての隣接する画素の原因となる血管の和との間の差が、曲線を当てはめる尺度として使用されてもよい。更に別の尺度は、例えば、第１の導関数、エッジ応答等である。血管の応答は、例えば、K.  Krissian他による文献“Model-Based  Detection  of  Tubular  Structures  in  3D  images”,  Computer  Vision  and  Image  Understanding,  volume  80,  number  2,  pages  130〜171  (2000)、又はA.  F.  Frangi他による文献“Multiscale  vessel  enhancement  filtering”,  Medical  Image  Computing  and  Computer-Assisted  Intervention  -  MICCAI’98,  Lecture  Notes  in  Computer  Science,  volume  1496,  pages  130〜137  (1998)に開示されたヘッセ行列の関数として規定されてもよい。これらの文献を参照により援用する。エッジ応答は、J.  Cannyによる文献“A  Computational  Approach  To  Edge  Detection”,  IEEE  Transactions  on  Pattern  Analysis  and  Machine  Intelligence,  volume  8,  number  6,  pages  679〜698  (1986)に開示されたように決定されてもよい。この文献も参照により援用する。
【００５４】
従って、3Dにおいてデバイスのカメラに見える部分は、複数のカメラ画像から再構成され、3D  OSSデータに直接登録される。デバイスの一部のみが少なくとも１つのカメラ27により見える必要がある。このように、登録は、デバイスの特性と実質的に独立して、すなわち、OSSトラッキングされるデバイスの特性と実質的に独立して実現されてもよい。更に、登録手順は、特定のイメージング様式に限定されない。従って、前述の実施例では、イメージングデバイスはX線Cアームデバイスであるが、他の実施例では、他のレントゲン写真（radiographic）イメージングデバイス、超音波イメージングデバイス、磁気共鳴イメージングデバイス等のような他のイメージングデバイスも登録されてもよい。
【００５５】
従って、表現は、各画像に追加されたマーカ28に基づいて決定されるだけでなく、更に、少なくとも１つの光学カメラ27から取得された各画像の画素の画像値に基づいて決定されてもよい。
【００５６】
更なる選択肢として、図１の登録ユニット6は、ガイドワイヤ又はカテーテル33の挿入後に利用可能になる場合には、イメージングデバイス2の画像に基づいて登録を更新又は改善するように適合されてもよい。
【００５７】
更なる選択肢又は別の選択肢として、患者25がトラッキング可能なマーカを有する場合、形状及びイメージング座標系が登録されると、イメージングデバイス2が動かされたときに患者25のマーカをトラッキングすることにより、初期登録が改善又は更新されてもよい。特に、患者に対するイメージングデバイスの特定の位置について登録処理が完了している場合、イメージングデバイス−OSSデバイス、イメージングデバイス−マーカ、及びマーカ−OSSデバイスの空間関係が知られ得るように、患者25のマーカは、光学カメラデバイスを使用することによりトラッキングされてもよい。イメージングデバイスが患者に対して動かされる場合、イメージングデバイス−OSSデバイスの空間関係が決定されてもよい。すなわち、光学カメラデバイスによりトラッキングされる患者のマーカの現在位置と、イメージングデバイスと光学カメラデバイスとの間の既知の空間関係とに基づいてイメージングデバイス−マーカの現在の空間関係を決定し、依然として既知のマーカ−OSSデバイスの空間関係と共にイメージングデバイス−マーカのこの現在の空間関係を使用することにより、登録は改善又は更新されてもよい。
【００５８】
前述の実施例では、トラッキングデバイスは、OSSを使用することによりデバイスをトラッキングするように適合されるが、他の実施例では、電磁気トラッキング技術のような他のトラッキング技術も使用されてもよい。更に、前述の実施例では、登録は、インターベンショナル用途に使用されるが、他の実施例では、登録は、物体をトラッキングするトラッキングデバイスと物体を撮像するイメージングデバイスとの間の登録を必要とする他の用途にも使用されてもよい。
【００５９】
トラッキングデバイス（すなわち、OSSデバイス）がイメージングデバイスに登録された後に、トラッキングデバイスに登録されたイメージングデバイスと更なるイメージングデバイスとが相互に登録されている場合、物体のトラッキングされた位置は、イメージングデバイスにより取得されていないが、更なるイメージングデバイスにより取得された更なる画像にも示されてもよい。これらの更なる画像は、例えば、インターベンショナル処置の前又はインターベンショナル処置の間に取得されてもよいCT画像、磁気共鳴画像等でもよい。
【００６０】
図１を参照して前述したインターベンショナルシステムは、アブレーション処置を実行するように適合されるが、他の実施例では、インターベンショナルシステムは、他のインターベンショナル処置を実行するように適合されてもよい。更に、登録システム及び登録方法はまた、トラッキングデバイスへのイメージングデバイスの登録を必要とする他の非インターベンショナル処置において使用されてもよい。
【００６１】
要するに、光学形状検知トラッキングデバイスのようなトラッキングデバイスを用いたX線Cアームデバイスのようなイメージングデバイスによって、光学形状をイメージングシステムに登録するための登録システムについて説明した。１つ以上のカメラは、形状座標系をX線の座標系に登録するために使用される。カメラシステムでの検出された位置情報がX線システムに直接変換できるように、光学カメラは、X線システムと予め較正される。
【００６２】
本発明は、X線画像への形状の登録に限定されない点に留意すべきである。他の種類の医療画像は、MR画像、CT画像、超音波画像等でもよい。
【００６３】
開示の実施例に対する他の変更は、図面、この開示、及び特許請求の範囲の検討から、本発明を実施する際に当業者により理解され実施され得る。
【００６４】
特許請求の範囲において、“有する”という用語は他の要素又はステップを除外せず、単数は複数を除外しない。
【００６５】
単一のユニット又はデバイスは、特許請求の範囲に記載の複数の項目の機能を実現してもよい。特定の手段が相互に異なる従属項に記載されているという単なる事実は、これらの手段の組み合わせが有利に使用できないことを示すものではない。
【００６６】
１つ又は複数のユニット又はデバイスにより実行される、追加されたマーカに基づく画像における物体の表示の決定等のような手順は、他の数のユニット又はデバイスにより実行されてもよい。登録方法に従った登録システムの制御及び／又はイメージング方法に従ったイメージングシステムの制御は、コンピュータプログラムのプログラムコード手段及び／又は専用ハードウェアとして実現されてもよい。
【００６７】
コンピュータプログラムは、他のハードウェアの一部と共に或いは他のハードウェアの一部として与えられる光記憶媒体又はソリッドステート媒体のような適切な媒体に記憶／分配されてもよいが、インターネット又は他の有線若しくは無線通信システムを介したような他の形式で分配されてもよい。
【００６８】
特許請求の範囲におけるいずれかの参照符号は、その範囲を限定するものとして解釈されるべきではない。
【図１】
2016539713.tif 000003
【図２】
2016539713.tif 000004
【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
物体の画像を生成するイメージングデバイスを、前記イメージングデバイスの視野内で前記物体の位置をトラッキングするトラッキングデバイスに登録する登録システムであって、
前記物体の少なくとも１つの画像を生成する少なくとも１つの光学カメラデバイスと、
前記少なくとも１つの画像において前記物体を検出する物体検出ユニットであり、前記物体検出ユニットは、前記少なくとも１つの画像における前記物体の位置データを取得するために、前記物体の前記少なくとも１つの画像を分析するように適合された物体検出ユニットと
を有し、
前記イメージングデバイスへの前記トラッキングデバイスの登録を規定する登録パラメータを決定する登録ユニットであり、前記登録ユニットは、前記物体の前記取得された位置データと、前記少なくとも１つの光学カメラデバイスと前記イメージングデバイスとの間の幾何学変換とに基づいて、前記登録パラメータを決定するように適合された登録ユニットを有することを特徴とする登録システム。
【請求項２】
前記物体検出ユニットは、前記物体に提供されたマーカに基づいて前記物体の前記位置データを提供するように適合される、請求項１に記載の登録システム。
【請求項３】
前記物体は、医療行為で使用されるように適合され、前記登録システムは、前記物体が患者の身体の外部にある場合且つ前記患者の前記身体への前記物体の挿入前に前記登録を実行するように適合される、請求項１に記載の登録システム。
【請求項４】
前記登録システムは、前記物体と他の物体との間の既知の空間関係を使用することにより、前記物体の前記取得された登録パラメータを他の物体に波及するように適合される、請求項１に記載の登録システム。
【請求項５】
前記物体検出ユニットは、前記位置データを取得するために前記物体の予め規定された形状を使用するように適合される、請求項１に記載の登録システム。
【請求項６】
前記登録ユニットは、前記イメージングデバイスの画像と、放射される患者に提供されたトラッキングマーカとのうち少なくとも１つに基づいて、登録を更新又は改善するように適合される、請求項１に記載の登録システム。
【請求項７】
物体を撮像するイメージングシステムであって、
関心のある画像を生成するイメージングデバイスと、
前記関心のある領域の前記物体の位置をトラッキングするトラッキングデバイスと、
登録パラメータを決定する請求項１に記載の登録システムと、
前記物体の前記トラッキングされた位置と、前記決定された登録パラメータとに基づいて、前記関心のある領域の前記画像内の前記物体の前記位置を決定する位置決定ユニットと
を有するイメージングシステム。
【請求項８】
インターベンショナル処置を実行するインターベンショナル機器と、
前記インターベンショナル機器を撮像する請求項７に記載のイメージングシステムと
を有するインターベンショナルシステム。
【請求項９】
前記インターベンショナル機器は、イメージングデバイスの視野内で前記インターベンショナル機器の前記位置をトラッキングするトラッキングデバイスへの前記インターベンショナル機器の画像を生成するイメージングデバイスの登録中に、登録マーカが光学カメラデバイスにより撮影される画像に基づいて検出可能であるように、前記インターベンショナル機器の光特性と異なる光特性を有する複数の登録マーカを有する、請求項８に記載のインターベンショナルシステム。
【請求項１０】
前記登録マーカは、プラスチック材料又はシリコーンで作られる、請求項９に記載のインターベンショナルシステム。
【請求項１１】
物体の画像を生成するイメージングデバイスを、前記イメージングデバイスの視野内で前記物体の位置をトラッキングするトラッキングデバイスに登録する登録方法であって、
少なくとも１つのカメラデバイスを使用することにより、前記物体の少なくとも１つの画像を生成するステップと、
前記少なくとも１つの画像における前記物体の位置データを取得するために、前記物体の前記少なくとも１つの画像を分析するステップと
を有し、
前記物体の前記取得された位置データと、前記少なくとも１つの光学カメラデバイスと前記イメージングデバイスとの間の幾何学変換とに基づいて、前記イメージングデバイスへの前記トラッキングデバイスの登録を規定する登録パラメータを決定するステップを有することを特徴とする登録方法。
【請求項１２】
イメージングデバイスにより、関心のある領域の画像を生成するステップと、
トラッキングデバイスにより、前記関心のある領域の前記物体の位置をトラッキングするステップと、
請求項１１に記載の登録方法により、登録パラメータを決定するステップと、
前記物体の前記トラッキングされた位置と、前記関心のある領域の前記画像と、前記決定された登録パラメータとに基づいて、前記関心のある領域の前記画像内の前記物体の前記位置を示す位置画像を生成するステップと
を有する登録方法。
【請求項１３】
物体の画像を生成するイメージングデバイスを、前記イメージングデバイスの視野内で前記物体の位置をトラッキングするトラッキングデバイスに登録する登録コンピュータプログラムであって、
前記登録コンピュータプログラムが登録システムを制御するコンピュータで実行された場合、請求項１に記載の登録システムに対して請求項１１に記載の登録方法のステップを実行させるプログラムコード手段を有することを特徴とする登録コンピュータプログラム。
【手続補正２】
【補正対象書類名】明細書
【補正対象項目名】００２７
【補正方法】変更
【補正の内容】
【００２７】
カテーテル33を心臓24に挿入するために、ガイドワイヤが使用される。ガイドワイヤは、更なるインターベンショナル機器であり、OSSにより患者25内でガイドワイヤの位置を決定する（すなわち、患者25内でガイドワイヤの位置及び形状を決定する）トラッキング制御ユニット4に接続されたOSSファイバを備える。患者25内でガイドワイヤの位置を決定するために、US7,772,541B2に開示された技術のような既知のOSS技術が使用されてもよい。OSSファイバを備えたガイドワイヤ及びトラッキング制御ユニット4（特に、OSSファイバ及びトラッキング制御ユニット4）は、患者25内でガイドワイヤの位置をトラッキングするトラッキングデバイス又はOSSシステムと考えられてもよい。
【国際調査報告】
2016539713.tif 000005
2016539713.tif 000006
2016539713.tif 000007